(57)【要約】【課題】構造が簡単であり、しかもワンタッチ操作で自転車の車輪を挟持して自転車を保持し、或いは車輪の保持を解除することができる駐輪装置を提供する。【解決手段】断面コ形をなして左右対称形に向かい合って配置され、それぞれ下部のコーナにおいて軸着され、開閉可能である保持レバー１、１と、ストッパー６下のヒンジ７にて軸支され、保持レバー１の他端と長孔１１に嵌合するピン１２によって連結される踏み板８、８と、ヒンジ７に巻装され、踏み板８をストッパー６に当たるまで持上げる方向に付勢するつる巻バネ１３と、先端部が向き合った踏み板８、８の端部下に位置し、中間部を軸着した解除レバー１７よりなり、自転車の車輪４が踏み板８、８に載ると、保持レバー一端が車輪を両側より挟み込んで保持し、解除レバーの一端部を踏み込むと、保持レバー他端が開く。【選択図】図２
2011213320.tif 000002
【特許請求の範囲】
【請求項１】
対称形をなして各一端がそれぞれが開閉可能に軸支され、各一端が開いた状態で自転車の車輪を載せると、各他端が押下げられて、前記各一端が閉じる方向に回動し、閉じた各一端で車輪を両側より挟み込んで保持する一対の保持レバーと、中間部を回動可能に軸着し、一端部の押込みにより回動して保持レバーの他端側を押し上げ、前記保持レバーの一端を開く解除レバーとよりなることを特徴とする駐輪装置。
【請求項２】
各保持レバーは付勢手段により一端が開く方向に付勢されることを特徴とする請求項１記載の駐輪装置。
【発明の詳細な説明】
【技術分野】
【０００１】
本発明は、自転車の駐輪装置に関する。
【背景技術】
【０００２】
駐輪装置に関しては、左右対称形をなして開閉する一対のロックレバーを有し、自転車の車輪を載せると、両ロックレバーが閉じて車輪を挟み込んで動きを拘束した状態にロックし、或いは該ロックを解除してアンロック状態にするロック装置を備えたものが知られ、ロック装置は多くの場合、ソレノイドを有し、ソレノイドの励磁或いはその解除によりロック或いはアンロックに切換えられるようにしているが、ロック或いはアンロックの切換えを機械的手段によって行うようにしたものも知られる（特許文献１）。
【先行技術文献】
【特許文献】
【０００３】
【特許文献１】特開平１１−３６６８２号公報
【発明の概要】
【発明が解決しようとする課題】
【０００４】
上述するロック或いはアンロックへの切り換えをソレノイドによって行う場合、電源が必要である。この点、特許文献１に開示されるように切り換えを機械的手段によって行うものでは動力を必要としないが、特許文献１に開示されるような従来のものでは、構造が複雑で、操作も鍵を施錠位置或いは開錠位置に切換える操作と、押しボタン操作が必要である。
【０００５】
本発明は、構造が簡単であり、しかもワンタッチ操作で自転車の車輪を挟持して自転車を保持し、或いは車輪の挟持を解除することができる駐輪装置を提供することを目的とする。
【課題を解決するための手段】
【０００６】
請求項１に係わる発明は、対称形をなして各一端がそれぞれが開閉可能に軸支され、各一端が開いた状態で自転車の車輪を載せると、各他端が押下げられて、前記各一端が閉じる方向に回動し、閉じた各一端で車輪を両側より挟み込んで保持する一対の保持レバーと、中間部を回動可能に軸着し、一端部の押込みにより回動して保持レバーの他端側を押し上げ、前記保持レバーの一端を開く解除レバーとよりなることを特徴とし、
請求項２に係わる発明は、請求項１に係わる発明において、各保持レバーは付勢手段により一端が開く方向に付勢されることを特徴とする。
【発明の効果】
【０００７】
請求項１に係わる発明の駐輪装置によると、一対の保持レバーと解除レバーの基本構造で構成され、構造が簡単であること、自転車の車輪を載せるだけで保持レバーの一端が閉じて車輪を挟持し、自転車を保持できる一方、解除レバーの押下げ操作だけで保持レバーの一端を開いて車輪の挟持を解除することができ、ワンタッチ操作で車輪の挟持による自転車の保持やその解除が可能であること等の効果を有する。
【０００８】
請求項２に係わる発明によると、保持レバーは常態において各一端が開いた状態に保持されているため、車輪を載せ易く、駐輪が容易である。
【図面の簡単な説明】
【０００９】
【図１】駐輪前の駐輪装置の保持レバーを示す図。
【図２】駐輪後に車輪を挟持した保持レバーを示す図。
【図３】保持レバーの挟持を解除する解除レバーを示す図。
【発明を実施するための形態】
【００１０】
以下、本発明の実施形態の駐輪装置について図面により説明する。
保持レバー１、１は断面略コ形をなして、左右対称形に向かいあって配置され、それぞれ下部のコーナ付近で軸着され、開閉可能となっている。
【００１１】
保持レバー１、１の各一端にはそれぞれゴム又は樹脂製のクッション材２が取付金具３により取付けられ、クッション材２で自転車の車輪４（図２参照）を挟み込んで傷付けることなく保持できるようになっている。
【００１２】
固定部材であるストッパー６下にはヒンジ７により踏み板８が図の上下方向に回動可能に軸着され、下向きに一体形成した取付板９に形成の長孔１１に前記保持レバー１の他端部に突設されたピン１２が嵌合し（保持レバー１の他端部に長孔１１を形成し、取付板９に長孔１１に嵌合するピン１２を突設するようにしてもよい）、踏み板８が回動すると、長孔１１内をピン１２がスライドしながら保持レバー１が回動するようになっており、前記ヒンジ７にはつる巻バネ１３が巻装され、該バネ１３の作用により踏み板８がストッパー６に当たるまで持上げられ、これにより各保持レバー１、１一端のクッション材２、２が図１に示すような開く方向に付勢されるようになっている。
【００１３】
前記実施形態では、つる巻バネ１３が保持レバー１一端を開く方向に付勢する付勢手段を構成しているが、別の付勢手段では、保持レバー１が偏心位置で軸着され、重心位置が保持レバー１の軸着点より外側にあるようにして保持レバー１が自重により開く方向に付勢される。保持レバー１を偏心位置で軸着する場合、つる巻きバネ１３を省いてもよいし、つる巻バネ１３と併用してもよい。図中、１５は踏み板８の中間部に係合する前部ストッパーであり、１６は各踏み板８、８上に取着される、断面山形状の車輪ガイドである。
【００１４】
図１は、踏み板８がストッパー６及び前部ストッパー１５に当たるまで持上げられ、ストパー６、１５に突き当たった状態で左右の踏み板８、８が一直線上に突き合わさって接続され、保持レバー一端のクッション材２が開いた状態となり、クッション材２間を自転車の車輪が通ることができるようになっている。上述するストッパー６、１５はいずれか
一方を省き、他方のみ設けてもよい。
【００１５】
自転車を駐輪する際には、図１の状態において車輪４を保持レバー１一端が開いたクッション材間の隙間より前部ストッパー間の踏み板上に載せる。このときガイド１６は車輪４が踏み板８の接続部上に位置するようにガイドする機能を果す。
【００１６】
車輪４が踏み板上に載ると、自転車の自重により踏み板８はつる巻バネ１３の作用に抗してヒンジ７を支点として押下げられ、これに伴い保持レバー１の各一端が閉じてクッション材２で車輪４を挟み込み保持する（図２）。自転車はこの状態で保持されるが、保持レバー１は車輪４をロックしているわけではないので、自転車の盗難防止のためには鍵を掛けておくことが望まれる。
【００１７】
図３は、図２に示す車輪４の保持状態を解除する機構について示すもので、中間部を軸支した解除レバー１７よりなり、軸支部より先端側の屈曲部１８にはベアリングを備えたコロ１９を備え、該解除レバー１７の先端部は前記両踏み板８の向き合った端部下に位置し、一端部はペダル２１となっている。上記コロ１９及び解除レバー１７先端部は、保持レバー他端部を押し上げるためのものであるが、上記屈曲部１８を形成しないで、解除レバー１７を両踏み板８の向き合った端部下まで真直ぐに延ばしてもよいし、コロ１９付きの屈曲部１８まで形成し、解除レバー先端部を省いて削除してもよい。
【００１８】
図２に示す車輪４の拘束状態を解除するときには、図示しない自転車のハンドルを掴んだ状態で解除レバー１７のペダル２１を踏み込んで押し下げる。これによりコロ１９及び解除レバー先端部が持ち上がって踏み板８、８を自転車の車輪４と共に押上げ、保持レバー一端のクッション材２を開いて車輪４より離脱させ、車輪への保持を解除する。
【００１９】
前述するように、解除レバー１７にコロ１９付きの屈曲部１８までを形成し、解除レバー先端部を省いた場合、ペダル２１の踏み込み操作によりコロ１９で一方（図の左側）の踏み板８のみが押し上げられるが、一方の踏み板８が押し上げられ、車輪４が押し上げられるのに伴い、他方(図の右側)の踏み板８はつる巻きバネ１３の作用により押し上げられ、図１の状態に復帰する。
【００２０】
保持レバー１、１の回動は、踏み板８、８が前記ストッパー１５及びストッパー６に当たるまで行われ、当たると、それ以上の回動が阻止され、以後は解除レバー１７のペダル１８の踏み込みを解除しても、つる巻きバネ１３の作用でストッパー６、１５に当たった状態に保持される。そしてペダル１８を踏み込んだままの状態で自転車のハンドルを押し動かして車輪４を踏み板８、８より離脱させる。図１は、この状態を示している。
【００２１】
前記実施形態では、保持レバー１、１の各他端に踏み板８、８が連結されているが、踏み板８、８を省いて保持レバー１、１の他端部上に自転車の車輪４を直接載せるようにしてもよい。この場合において付勢手段としては、例えば保持レバー１を軸着する枢軸に取付けられるつる巻バネ、保持レバー１の他端部を押し上げるコイルバネ、保持レバー１の中間部に連結される引張バネ或いは保持レバー１を偏心位置において軸支し、重心位置を軸支点の外側に位置させて保持レバー１の自重により保持レバー一端のクッション材２が開くように付勢する方法等が用いられる。
【００２２】
本実施形態の駐輪装置は以上のように、一対の保持レバー１、１、解除レバー１７、ストッパー６、１５、踏み板８、８で構成され、基本的には一対の保持レバー１、１と、解除レバー１７のみ、好ましくはこれに加えて更にストッパー６、１５で構成することが可能であり、構成が簡単であること、駐輪時には自転車の車輪を載せるだけで、車輪を保持することができ、またその保持はペダルを踏み込み操作するだけで解除することができ、ワンタッチ操作で行えること、保持レバー１、１は、一端のクッション材２、２が常には開いた状態に付勢されているため、駐輪が容易に行えること等の効果を奏する。
【符号の説明】
【００２３】
１・・保持レバー
２・・クッション材
４・・車輪
６、１５・・ストッパー
７・・ヒンジ
８・・踏み板
１３・・つる巻バネ
１７・・解除レバー
１９・・コロ
２１・・ペダル
【図１】
2011213320.tif 000003
【図２】
2011213320.tif 000004
【図３】
2011213320.tif 000005